(57)【要約】【課題】  医療器材を部品単位でリサイクル管理する。【解決手段】  部品データ格納部４５２は、所定の医療器材の構成部品に対して付与された構成部品識別情報を記憶する。部品データ格納部４５２は、構成部品に対する使用状況を示す使用属性値を構成部品識別情報と関連して記憶する。使用属性値処理部４４８は、構成部品に対する使用限界に関する使用限界値と、使用属性値を比較して部品の再利用が可能か判定する。部品インタフェース処理部４４４は、外部の部品とのインタフェース処理を担当し、ユーザインタフェース処理部４４２は、ユーザとのインタフェース処理を担当する。【選択図】図３
2005258565.tif 000002
【特許請求の範囲】
【請求項１】
販売または賃貸借の対象となる医療器材に関し、構成部品の識別情報および前記構成部品の使用状況を示す使用属性値を対応づけて格納する部品情報格納部と、
前記部品情報格納部から前記識別情報に基づいて、検出対象となる構成部品の使用属性値を検出する使用属性値検出部と、
前記検出結果を画面表示させる表示部と、
を備えることを特徴とする医療器材管理装置。
【請求項２】
販売または賃貸借の対象となる医療器材に関し、構成部品の識別情報および前記構成部品によって組み立てられ得る医療器材の種別情報を対応づけて格納する部品情報格納部と、
前記部品情報格納部から前記識別情報に基づいて、検出対象となる構成部品によって組み立てられ得る医療器材の種別情報を検出する医療器材情報取得部と、
前記検出結果を画面表示させる表示部と、
を備えることを特徴とする医療器材管理装置。
【請求項３】
一以上の構成部品によって組み立てられた分解可能な医療器材に関し、構成部品に付与された構成部品識別情報を取得する識別情報取得部と、
前記構成部品の使用状況を示す使用属性値を記憶する記録媒体から前記使用属性値を読み出す使用属性値取得部と、
前記使用属性値の限界値である使用限界値を記憶する記録媒体から前記使用限界値を読み出す使用限界値取得部と、
前記構成部品識別情報と前記使用属性値を関連づけて記憶する使用属性値記憶部と、
前記構成部品識別情報と前記使用限界値を関連づけて記憶する使用限界値記憶部と、
再利用判定の対象となる構成部品に関し、前記読み出された構成部品識別情報に基づいて前記使用属性値と前記使用限界値を比較することにより前記構成部品の再利用可否を判定する再利用判定部と、
を備えることを特徴とする医療器材管理装置。
【請求項４】
一以上の構成部品によって組み立てられた分解可能かつ再利用可能な医療器材に関し、前記構成部品に固着される記録媒体により前記構成部品識別情報を記憶する識別情報記憶部を更に備え、
前記識別情報取得部は、前記構成部品識別情報記憶部から前記構成部品識別情報を取得することを特徴とする請求項３に記載の医療器材管理装置。
【請求項５】
前記識別情報取得部は、医療機関との間で締結した賃貸借契約の対象となる一以上の構成部品によって組み立てられた分解可能な医療器材に関し、前記構成部品識別情報を取得し、
前記構成部品識別情報と前記医療器材の種別および用途の双方または一方を含む医療器材情報を関連づけて記憶する部品情報記憶部を更に備えることを特徴とする請求項３または４に記載の医療器材管理装置。
【請求項６】
前記識別情報取得部は、医療機関との間で締結したメンテナンス契約の対象となる一以上の構成部品によって組み立てられた分解可能な医療器材に関し、前記構成部品識別情報を取得し、
前記構成部品識別情報と前記医療器材の種別または用途の双方または一方を含む医療器材情報を関連づけて記憶する部品情報記憶部を更に備えることを特徴とする請求項３または４に記載の医療器材管理装置。
【請求項７】
一以上の構成部品によって組み立てられた分解可能な医療器材に関し、構成部品識別情報を取得するステップと、
前記構成部品の使用状況を示す使用属性値を記憶する記録媒体から前記使用属性値を読み出すステップと、
前記使用属性値の限界値である使用限界値を記憶する記録媒体から前記使用限界値を読み出すステップと、
前記構成部品識別情報と前記使用属性値を関連づけて記録媒体に記録するステップと、
前記構成部品識別情報と前記使用限界値を関連づけて記録媒体に記録するステップと
再利用判定の対象となる構成部品に関し、前記読み出された構成部品識別情報に基づいて前記使用属性値と前記使用限界値を比較するステップと、
比較の結果に基づいて、前記構成部品の再利用可否を判定するステップと、
前記判定の結果を画像表示装置に画面表示させるステップと、
を備えることを特徴とする医療器材管理方法。
【発明の詳細な説明】
【技術分野】
【０００１】
この発明は医療器材の管理技術に関する。特に、この発明は、医療器材を構成する構成部品を部品単位で管理するための技術に関する。
【背景技術】
【０００２】
シングルユース器材ともよばれるディスポーザブル器材は、１回の診療行為の中でひとりの患者のみに対して使う、使い捨て医療器材である。ディスポーザブル器材の例として、輸液バッグ、カテーテル・チューブ、血液回路、注射器、真空採血管、手術用不織布、手術用ゴム手袋などがある。ディスポーザブル器材は、再使用可能な医療器材（以下、「リユース器材」とよぶ）のように再滅菌後再梱包される必要もなく、手軽である。そのため、医療器材の主流が比較的安価なプラスティック製品に移行したころから医療従事者の間で多用されるようになった。
【０００３】
しかし、近年複雑で高価な器材が増加し、ディスポーザブル器材のあり方が再考されている。現在、ディスポーザブル器材の費用の多くは手術料の中で賄われており、ある研究報告によると、手術料に占めるディスポーザブル器材の費用比は、最も高い腹腔鏡下胆嚢摘出術において、５０％に迫っている。この術式に対する診療報酬点数は２２４００点、すなわち２２万４千円であるところ、ディスポーザブル器材のコストは多数の外科病院の平均で１１万円程度という。
【０００４】
ディスポーザブル器材といってもその構成部品のすべてが使い切りを想定した部品とは限らない。たとえば、内視鏡手術に使用される鉗子は複数の構成部品を含む。特許文献１はこの点に着目し、ディスポーザブル器材を構成する部品を金属製機能部品とプラスチック部品を分離可能に構成する発明を開示する。
【特許文献１】特開２００２−１６６２６１号公報
【特許文献２】特開２００２−５６０８０号公報
【特許文献３】特開２００３−９１５９６号公報
【特許文献４】特開２００２−１３３２５０号公報
【特許文献５】特開２００１−１６０１０６号公報
【発明の開示】
【発明が解決しようとする課題】
【０００５】
特許文献１に開示される発明は、金属製機能部品が滅菌処理後に再利用可能であるという実験事実を前提とする。そして、ディスポーザブル器材から分離された金属製機能部品を実際に再利用しても差し支えないかは顕微鏡検査などにより判断する。しかし、このようにディスポーザブル器材から分離された金属製機能部品を再検査することは費用および時間の両面において新たなコスト発生要因となる。すなわち、再利用可否の判断材料としては検査のみに頼っていて、判断処理そのものを効率的に管理するという視点が欠落している。
【０００６】
本発明はこうした現状に鑑みてなされたものであり、その目的は、医療器材を構成する構成部品を単位として医療器材を効率的に管理するための技術を提供することにある。
【課題を解決するための手段】
【０００７】
上記課題を解決するために、本発明のある態様における医療器材管理装置は、販売または賃貸借対象の医療器材を管理するための装置である。この装置は、医療器材の構成部品を管理するために、その識別情報、使用状況およびその構成部品がその一部と成り得る医療器材の種別を対応づけて格納する。そして、構成部品の識別情報に基づいて構成部品の使用状況等を検出し、検出の結果を画面表示させる。
【０００８】
本発明の別の態様は、医療器材管理装置である。この装置は、一以上の構成部品によって組み立てられた分解可能な医療器材に関し、構成部品に付与された構成部品識別情報、構成部品の使用状況を示す使用属性値および使用属性値の限界値である使用限界値を読み出す。この装置は、構成部品識別情報と使用属性値を関連づけて記憶する。また、構成部品識別情報と前記使用限界値を関連づけて記憶する。そして、この装置は、再利用判定の対象となる構成部品に関し、読み出された構成部品識別情報に基づいて使用属性値と使用限界値を比較することにより構成部品の再利用可否を判定する。
【０００９】
この医療器材管理装置が取り扱う対象となる医療器材は、所定の医療機関との間で締結した賃貸借契約の対象となる特定の賃貸借用医療器材であってもよい。あるいは、この医療器材管理装置が取り扱う対象となる医療器材は、所定の医療機関との間で締結したメンテナンス契約の対象となる特定のメンテナンス対象医療器材であってもよい。
【発明の効果】
【００１０】
本発明によれば、医療器材をその構成部品を単位として効率的に管理できる。
【発明を実施するための最良の形態】
【００１１】
医療器材はディスポーザブル器材とリユース器材に大別できることは先述の通りである。しかし、シングルユースを前提としたディスポーザブル器材であっても再利用可能な構成部品を含む。逆に、再利用可能なリユース器材であっても無限回の再利用が可能なわけではない。たとえば、先述の鉗子の場合、一回の使用による消耗度は部品によって異なる。手術対象を掴むエンドエフェクタとよばれる部位の部品は使用による消耗が大きいと考えられる。逆に、医師が操作するハンドル部品はそれに比べれば消耗は大きくないと考えられる。本実施例においては、医療器材の構成部品をベースとし、その部品の特性に応じて医療器材を管理する。
【００１２】
図１は、医療器材のリサイクルシステムにおける医療器材の構成部品（以下、単に「部品」とよぶ）の流通経路を説明するための模式図である。部品リサイクルシステム４２２においては、医療器材提供機関４００、医療機関４０４および部品情報データベース４０６がそれぞれインターネット４０２を介して接続される。同図では、説明のために部品リサイクルシステム４２２が医療器材提供機関４００と医療機関４０４がそれぞれ一つずつで構成されるものとするが、通常は、複数の医療器材提供機関４００やインターネット４０２によって部品リサイクルシステム４２２の全体が構成される。
【００１３】
医療器材提供機関４００は、医療器材を提供する機関であり、たとえば医療器材メーカが該当する。医療機関４０４は、医療器材のユーザとなる機関であり、通常は病院が該当する。部品情報データベース４０６は部品ごとに部品情報を管理するためのデータベースである。医療器材提供機関４００の内部に部品情報データベース４０６が存在してもよい。認証された第３者がインターネット４０２を介して部品情報データベース４０６にアクセス可能としてもよい。
【００１４】
医療器材提供機関４００は、まず、医療機関４０４に納入すべき医療器材を組み立てる（Ｓ１０）。医療器材提供機関４００は、組み立てた医療器材を医療機関４０４に納入する（Ｓ１２）。通常、医療器材は、医療機関４０４からの発注に基づいて納入される。医療機関４０４において、納入された医療器材が使用される（Ｓ１４）。医療器材、すなわち医療器材を構成する各部品は使用により汚染される。使用後の医療器材は部品に分解される（Ｓ１６）。この分解された部品のうち、再利用不可能な部品（以下、「ディスポーザブル部品」とよぶ）は、廃棄処理される（Ｓ１８）。通常は、医療廃棄物処理業者がこのようなディスポーザブル部品を回収する。再利用可能な部品（以下、「リユース部品」とよぶ）は、洗滌後、滅菌処理される（Ｓ２０）。医療器材提供機関４００はこのような洗滌滅菌処理されたリユース部品を回収する（Ｓ２２）。
【００１５】
回収されたリユース部品は、部品の使用状態に応じて再利用可能か廃棄すべきかが判定される（Ｓ２４）。Ｓ２４の処理については後に詳述する。廃棄すべきと判定されたリユース部品は廃棄処理される（Ｓ２６）。通常は、医療廃棄物処理業者がこのようなリユース部品を回収する。再利用可能と判定されたリユース部品は、ふたたびＳ１０において新たな医療器材の部品となる。Ｓ１０における医療器材を組み立てにあたっては、適宜新規部品が調達される（Ｓ２８）。部品は医療器材提供機関４００が内製する部品のうちから調達されてもよい。あるいは、４００は新規の部品を外部の部品メーカから調達してもよい。
【００１６】
以上が、部品の調達から廃棄に至るまでのプロセスである。これらの流通経路における各処理の実行に伴い、適宜、部品の状態は部品情報データベース４０６に入力される。詳しくは後述するが、Ｓ２４においては、この部品情報データベース４０６が格納する部品情報によって、リユース部品の再利用判定が実行される。これら、各処理工程は、医療器材提供機関４００や医療機関４０４のいずれにおいて実行されてもよい。たとえば、Ｓ２０に示す洗滌滅菌処理は医療器材提供機関４００にて実行されてもよい。あるいは、Ｓ１４にて使用された医療器材を医療器材提供機関４００が引き取ることにより、Ｓ１４以降の処理が医療器材提供機関４００にて実行されてもよい。なお、医療器材の発注や納入に伴い請求処理も実行されるが、図１では説明を簡易にするためにこれらの詳細については割愛している。
【００１７】
図２は、部品に付与される部品情報端末４２４の機能ブロック図である。部品情報端末４２４は外部インタフェース処理部４２６、使用属性値格納部４２８および部品ＩＤ格納部４３０を含む。医療器材を構成する部品には、その部品を識別する識別情報（以下、「部品ＩＤ」とよぶ）と、その部品の使用状態を示す情報（以下、「使用属性値」とよぶ）を管理するために部品情報端末４２４が付与される。部品ＩＤは部品の種別に関わらず、部品ごとに付与されるユニークなＩＤである。現在、ＲＦＩＤ（Radio Frequency Identification）とよばれる非接触タグが普及しつつある。部品情報端末４２４は、このような読み書き可能な微小の記録媒体上において実現される。
【００１８】
部品ＩＤ格納部４３０は、部品ＩＤを格納する。部品ＩＤ格納部４３０は部品ＩＤの他にも、部品の種別などさらに多様な情報を格納してもよい。使用属性値格納部４２８は部品の使用属性値を格納する。使用属性値とは部品の使用状態を示す指標となる値である。たとえば、使用属性値は部品の使用回数であっていもよい。あるいは、使用属性値は部品の使用状態や消耗度に応じて特定される使用ポイントであってもよい。使用ポイントは、部品の使用された状況に応じて算出される。たとえば、長時間の手術に使用された部品は、その時間の長さに応じて使用ポイントが多くなる。また、医療器材が使用される手術の種類によって予め部品の想定消耗度を設定しておき、手術の内容に応じて使用ポイントを特定してもよい。
【００１９】
外部インタフェース処理部４２６は医療器材管理装置４４０とのインタフェース処理を担当する。医療器材管理装置４４０は、外部インタフェース処理部４２６を介して部品ＩＤや使用属性値を読み出す。また、医療器材管理装置４４０は外部インタフェース処理部４２６を介して使用属性値格納部４２８の使用属性値を更新する。外部インタフェース処理部４２６は、使用属性値格納部４２８が格納する使用属性値を数値や色彩などの可視情報により表示してもよい。使用属性値が予め設定された閾値を超えたときに、外部インタフェース処理部４２６は通常状態とは異なる色彩表示により、その旨をユーザに通知してもよい。
【００２０】
図３は、医療器材管理装置４４０の機能ブロック図である。ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。医療器材管理装置４４０のほとんどの機能は、主として医療器材提供機関４００におけるパーソナルコンピュータやそのためのソフトウェアによって実現可能である。
【００２１】
医療器材管理装置４４０は、ユーザインタフェース処理部４４２、部品インタフェース処理部４４４、データ処理部４４６および部品データ格納部４５２を含む。部品データ格納部４５２は、部品ごとに情報を格納する。部品データ格納部４５２の主な機能は部品情報データベース４０６によって実現される。部品データ格納部４５２のデータ構造については後に詳述する。ユーザインタフェース処理部４４２はユーザインタフェースに関する処理を担当する。ユーザインタフェース処理部４４２はユーザからの操作を受け付ける。また、ユーザインタフェース処理部４４２は、ユーザに対して部品に関する各種情報を画面表示する。部品インタフェース処理部４４４は、部品情報端末４２４とのインタフェースに関する処理を担当する。部品インタフェース処理部４４４は部品に付与された部品情報端末４２４から部品ＩＤや使用属性値を取得する。また、部品インタフェース処理部４４４は使用属性値を部品情報端末４２４に書き込む。
【００２２】
データ処理部４４６は、部品インタフェース処理部４４４やユーザインタフェース処理部４４２が取得したデータを処理して部品データ格納部４５２に格納する。また、データ処理部４４６は、部品データ格納部４５２が格納するデータを部品インタフェース処理部４４４やユーザインタフェース処理部４４２が外部に送出するためのフォーマットに変換する。
【００２３】
データ処理部４４６は更に使用属性値処理部４４８と部品登録部４５０を含む。使用属性値処理部４４８は部品の使用属性値に関する処理を担当する。使用属性値処理部４４８は部品インタフェース処理部４４４が読み取った使用属性値を更新する。部品インタフェース処理部４４４は更新された使用属性値を部品情報端末４２４に書き込む。使用属性値が部品の使用回数である場合には、図１のＳ２４において、使用属性値処理部４４８は使用回数としての使用属性値をインクリメントする。使用属性値処理部４４８は、部品インタフェース処理部４４４が取得した部品の使用属性値に基づき、その部品を再利用可能か否かを判定する。使用属性値処理部４４８の処理については、図５および図６のフローチャートに関連して更に詳述する。図１のＳ２８において、新規に部品が調達されたとき、部品登録部４５０はユーザインタフェース処理部４４２からの指示に応じてその部品に関する情報を部品データ格納部４５２に登録する。
【００２４】
図４は、部品データ格納部４５２のデータ構造を示す図である。部品ＩＤ欄４６２は部品ＩＤを示す。医療器材ＩＤ欄４６４は医療器材を識別する医療器材ＩＤを示す。ここでいう医療器材ＩＤも医療器材の種別ではなく、医療器材ひとつひとつをユニークに識別するＩＤである。医療器材ＩＤ欄４６４は、部品ＩＤ欄４６２に示す各部品がどの医療器材に組み込まれているかを示す。たとえば、部品ＩＤが「００１」、「００２」および「００８」の部品は、医療器材ＩＤが「００６」の医療器材の構成部品となっている。一方、部品ＩＤが「００５」と「００６」の部品は、特定の医療器材に組み込まれていない。すなわち、部品単体として存在している。
【００２５】
使用回数欄４６８は、各部品の現在の使用回数を示す。図１のＳ２４において部品が回収されたとき、部品インタフェース処理部４４４は部品に付与される部品情報端末４２４から使用属性値として使用回数を読み取る。使用属性値処理部４４８は、この読み取られた使用回数をインクリメントする。使用属性値処理部４４８はインクリメント後の使用回数を使用回数欄４６８に書き込む。また、部品インタフェース処理部４４４は、このインクリメントされた新たな使用回数を使用属性値として部品情報端末４２４に書き込む。たとえば、部品ＩＤが「００１」の部品はすでに４０回使用されている。一方、部品ＩＤが「００４」の部品は使用回数がゼロであり、新規に調達された部品であることがわかる。
【００２６】
規定回数欄４７０は、各部品の使用可能回数（以下、「規定回数」とよぶ）を示す。部品の使用回数がこの規定回数を超えると、使用属性値処理部４４８はその部品を再利用不可能と判断する。部品場所欄４７２は、部品の存在場所を示す。たとえば、部品ＩＤが「００１」の部品は、現在「Ａ病院」に納入済みである。図１のＳ１２の納入が完了すると、医療機関４０４は部品場所欄４７２の情報を更新する。部品ＩＤが「００６」の部品は、現在、医療器材提供機関４００が回収している。図１のＳ２２の回収が完了すると、医療器材提供機関４００は部品場所欄４７２の情報を更新する。これにより、部品の流通を部品情報データベース４０６にて追跡できる。
【００２７】
登録日欄４７４は、部品情報が部品データ格納部４５２に新規登録された日時を示す。更新日欄４７６は、部品情報の最新更新日時を示す。単価欄４７８は部品の単価を示す。単価欄４７８は部品の購入単価でもよいし、部品を再利用するときの賃貸借価格でもよい。部品種別欄４８０は部品の種別を示す。部品ＩＤが「００２」の部品と「００６」の部品の種別は共に「Ｂ１８」であり、同じ種類の部品である。
【００２８】
組込可能医療器材欄４８２は、部品を組み込み可能な医療器材の種別を示す。部品によっては複数の医療器材に組み込める汎用的な部品もある。たとえば、部品ＩＤが「００３」の部品は、「ＱＳ２２」と「Ｒ１６」の２種類の医療器材に組み込み可能である。図１のＳ１０において組込可能医療器材欄４８２を参照することにより、まちがった部品によって医療器材が組み立てられるのを回避する上で効果がある。更に、部品データ格納部４５２は部品同士の互換性についての情報を格納してもよい。仕入先欄４８４は、図１のＳ２８にて部品を仕入れるときの仕入れ先を示す。
【００２９】
使用回数欄４６８と規定回数欄４７０では使用属性値として使用回数を利用する場合を示した。使用属性値として消耗度に応じた使用ポイントを利用してもよい。たとえば、部品の使用時間により、使用ポイントを設定してもよい。この場合、部品データ格納部４５２は部品が手術で使用された時間情報を格納する。
【００３０】
手術の内容に応じて想定される部品の消耗度に応じて、予め部品ごとの使用ポイントを設定したデータベースを備えてもよい。部品データ格納部４５２は部品が使用された手術情報を格納する。このとき、使用属性値処理部４４８は部品が使用された手術に応じてデータベースを参照することにより使用ポイントを特定する。
【００３１】
図５は、使用回数にてリユース部品を再利用判定する過程を示すフローチャートである。このフローチャートは、図１のＳ２４における処理を詳細に示すものである。部品インタフェース処理部４４４は回収された部品の部品情報端末４２４から部品ＩＤを読み取る（Ｓ３０）。使用属性値処理部４４８は、回収された部品の使用回数をインクリメントする（Ｓ３２）。部品インタフェース処理部４４４は、このインクリメントされた使用回数を部品情報端末４２４に書き込む。使用属性値処理部４４８は部品データ格納部４５２にアクセスし、インクリメント後の使用回数が規定回数内か判定する（Ｓ３４）。規定回数内であれば（Ｓ３４のＹ）、使用属性値処理部４４８はＳ３０で読み出された部品ＩＤに対応する部品の使用回数を更新する（Ｓ３６）。ユーザインタフェース処理部４４２は、部品が再利用可能であることをユーザに通知し（Ｓ３８）、処理は終了する。Ｓ３８においては、部品インタフェース処理部４４４は部品情報端末４２４に対して部品を再利用可能である旨を書き込んでもよい。部品情報端末４２４は、再利用可能である旨を可視表示する。
【００３２】
Ｓ３４において規定回数内でなければ（Ｓ３４のＮ）、部品登録部４５０は読み出された部品ＩＤに対応する部品の部品情報を部品データ格納部４５２から削除する（Ｓ４０）。ユーザインタフェース処理部４４２は、この部品を廃棄すべき旨を通知する（Ｓ４２）。Ｓ４２においては、部品インタフェース処理部４４４は部品情報端末４２４に対して部品を再利用不可能である旨を書き込んでもよい。部品情報端末４２４は、再利用不可能である旨を可視表示する。部品登録部４５０は、この廃棄すべき部品に代替する部品を部品データ格納部４５２から検索する（Ｓ４４）。部品登録部４５０は、廃棄すべき部品と同じ部品種別の部品であって、特定の医療器材に組み込まれていない部品を優先的に検索する。ユーザインタフェース処理部４４２は検索された代替部品情報をユーザに通知し（Ｓ４６）、処理は終了する。代替部品が見つからないときには、ユーザインタフェース処理部４４２は新規に部品を調達すべきことを通知してもよい。
【００３３】
図６は、部品の消耗度に基づく使用ポイントにてリユース部品を再利用判定する過程を示すフローチャートである。このフローチャートは、図１のＳ２４における処理を詳細に示すものである。部品インタフェース処理部４４４は回収された部品の部品情報端末４２４から部品ＩＤを読み取る（Ｓ５０）。使用属性値処理部４４８は、回収された部品の使用ポイントを更新する（Ｓ５２）。部品インタフェース処理部４４４は、この更新された使用ポイントを部品情報端末４２４に書き込む。
【００３４】
部品インタフェース処理部４４４は、この更新された使用ポイントを部品情報端末４２４に書き込む。使用属性値処理部４４８は部品データ格納部４５２にアクセスし、更新後の使用ポイントが規定の使用ポイント（以下、単に「規定ポイント」とよぶ）内か否かを判定する（Ｓ５４）。規定ポイントとは、部品の使用限界値として定められる使用ポイント数である。規定ポイント内であれば（Ｓ５４のＹ）、ユーザはこの部品の検査を実行する（Ｓ５６）。ここでいう検査とは、特許文献１にあるような実体顕微鏡を用いての形状検査、電子ノギスを用いての寸法検査などをいう。
【００３５】
検査の結果に応じて、ユーザはユーザインタフェース処理部４４２を介して使用ポイントを再更新する（Ｓ５８）。すなわち、部品の消耗度が想定以上であれば使用ポイントを加算し、想定以内であれば使用ポイントを減算する。部品インタフェース処理部４４４は、この再更新された使用ポイントを部品情報端末４２４に書き込む。使用属性値処理部４４８は部品データ格納部４５２にアクセスし、再更新後の使用ポイントが規定ポイント内か否かを判定する（Ｓ６０）。
【００３６】
使用属性値処理部４４８はＳ５０で読み出された部品ＩＤに対応する部品の使用ポイントを更新し、部品データ格納部４５２に格納させる（Ｓ６２）。ユーザインタフェース処理部４４２は、部品が再利用可能であることをユーザに通知し（Ｓ６４）、処理は終了する。Ｓ６４においては、部品インタフェース処理部４４４は部品情報端末４２４に対して部品を再利用可能である旨を書き込んでもよい。部品情報端末４２４は、再利用可能である旨を可視表示する。
【００３７】
Ｓ５４またはＳ６０において、部品の使用ポイントが規定ポイント内でないと判定された場合には（Ｓ５４のＮ、Ｓ６０のＮ）、処理はＳ６６に移る。Ｓ６６からＳ７２までの処理は、図５のＳ４０からＳ４６までの処理に対応する。
【００３８】
図６のフローチャートによれば、Ｓ５４の処理によりＳ５６における検査を回収時に常に実行する必要がない。使用ポイントが規定ポイントに近い場合にのみＳ５６における検査を実行するとしてもよい。また、部品のメンテナンスにより、使用ポイントを減算できてもよい。使用回数により部品の再利用判定をする場合において、Ｓ５６に対応する検査を併用しても、同様の方法により検査回数を少なくできる。
【００３９】
以上、実施例をもとに本発明を説明した。なお本発明はこの実施の形態に限定されることなく、そのさまざまな変形例もまた、本発明の態様として有効である。
【図面の簡単な説明】
【００４０】
【図１】医療器材のリサイクルシステムにおける医療器材の構成部品の流通経路を説明するための模式図である。
【図２】部品に付与される部品情報端末の機能ブロック図である。
【図３】医療器材管理装置の機能ブロック図である。
【図４】部品データ格納部のデータ構造を示す図である。
【図５】使用回数にて部品の再利用判定する過程を示すフローチャートである。
【図６】使用ポイントにて部品の再利用判定する過程を示すフローチャートである。
【符号の説明】
【００４１】
４００  医療器材提供機関、４０４  医療機関、４０６  部品情報データベース、４２２  部品リサイクルシステム、４２４  部品情報端末、４２８  使用属性値格納部、４３０  部品ＩＤ格納部、４４０  医療器材管理装置、４４２  ユーザインタフェース処理部、４４４  部品インタフェース処理部、４４６  データ処理部、４４８  使用属性値処理部、４５２  部品データ格納部。
【図１】
2005258565.tif 000003
【図２】
2005258565.tif 000004
【図３】
2005258565.tif 000005
【図４】
2005258565.tif 000006
【図５】
2005258565.tif 000007
【図６】
2005258565.tif 000008